(57)【要約】  粉末を収容し、ホッパ圧力を維持するように適合されたホッパを含む粉末供給速度制御システム。キャリア導管はキャリアガス流を供給し、オリフィスを有する。キャリアガス流は、粉末供給速度においてオリフィスを通じて入る粉末を搬送する。差圧変換器は、ホッパ圧力に関連する第１の圧力入力と、ホッパの下流のキャリアガス流に関連する第２の圧力入力とを含む。差圧変換器（ＰＴ）は、第１の圧力入力と第２の圧力入力の間の差圧に関連する信号を出力する。電空レギュレータ（ＥＰ）は、制御装置と通信し、差圧に関連する信号を受信するように適合されている。
2020522048.tif 000002
【特許請求の範囲】
【請求項１】
粉末供給速度制御システムであって、
粉末を収容し、ホッパ圧力を維持するように適合されたホッパと、
キャリアガス流を送達し、オリフィスを有するキャリア導管であり、前記キャリアガス流は、粉末供給速度において前記オリフィスを通って入る粉末を搬送する、キャリア導管と、
差圧変換器であり、
前記ホッパ圧力に関連する第１の圧力入力、および
前記ホッパの下流の前記キャリアガス流に関連する第２の圧力入力
を備え、前記差圧変換器（ＰＴ）は、前記第１の圧力入力と前記第２の圧力入力の間の差圧に関連する信号を出力する、差圧変換器と、
前記差圧に関連する前記信号を受信し、制御装置と通信するように適合されている電空レギュレータ（ＥＰ）と、
を備える、粉末供給速度制御システム。
【請求項２】
前記制御装置は、前記キャリアガス流を設定または調整する、請求項１に記載のシステム。
【請求項３】
前記第１の圧力入力が高圧または高い方の圧力入力であり、前記第２の圧力入力が低圧または低い方の圧力入力である、請求項１に記載のシステム。
【請求項４】
前記差圧が０〜１バールである、請求項１に記載のシステム。
【請求項５】
前記電空レギュレータ（ＥＰ）は、２バール〜１０バールの供給圧力を受ける、請求項１に記載のシステム。
【請求項６】
前記キャリア導管に結合され、処理圧力において動作するスプレーデバイスをさらに備える、請求項１に記載のシステム。
【請求項７】
前記処理圧力が０バール〜８バールである、請求項６に記載のシステム。
【請求項８】
前記スプレーデバイスは、粉末供給ホースを介して前記キャリア導管に結合されている、請求項６に記載のシステム。
【請求項９】
前記信号が信号電圧を含む、請求項１に記載のシステム。
【請求項１０】
前記電空レギュレータ（ＥＰ）は、前記制御装置からコマンド信号を受信する、請求項１に記載のシステム。
【請求項１１】
前記制御装置は、前記電空レギュレータ（ＥＰ）から信号を受信する、請求項１に記載のシステム。
【請求項１２】
前記差圧が０〜１バールである、請求項１１に記載のシステム。
【請求項１３】
前記システムは、処理圧力の変化に関係なく、前記制御装置からの一切の入力なしでリアルタイムで前記差圧を維持するように構成されている、請求項１に記載のシステム。
【請求項１４】
粉末供給速度制御システムであって、
制御装置と、
粉末を収容し、ホッパ圧力を維持するように適合されたホッパと、
キャリアガス流を送達し、オリフィスを有するキャリア導管であり、前記キャリアガス流は粉末供給速度において前記オリフィスを通って入る粉末を搬送する、キャリア導管と、
差圧変換器であり、
ホッパ圧力ラインに結合された第１の圧力入力、および
処理圧力ラインに結合された第２の圧力入力、
を備え、前記差圧変換器は、ホッパ圧力と処理圧力との差圧に関連する信号を出力する、差圧変換器と、
前記制御装置からコマンド電圧信号を受信し、前記差圧に関連する前記信号を受信する電空レギュレータと、
を備え、
前記差圧は前記粉末供給速度に比例し、０〜１バールの圧力に維持される、粉末供給速度制御システム。
【請求項１５】
粉末供給速度を調整する方法であって、
粉末を収容するホッパをホッパ圧力にさらすことと、
オリフィスを有するキャリア導管を介してキャリアガス流を送達することであり、前記キャリアガス流は、粉末供給速度において前記オリフィスを通って入る粉末を搬送する、送達することと、
処理圧力において粉末をスプレーデバイスに供給することと、
差圧変換器を介して、前記ホッパ圧力と前記処理圧力との間の差圧を測定することと、
電空レギュレータに、前記差圧に関連する信号を出力することと、
を含む、方法。
【請求項１６】
前記電空レギュレータは制御装置と通信し、前記差圧に関連する前記信号を受信する、請求項１５に記載の方法。
【請求項１７】
前記方法は、前記制御装置によって前記キャリアガス流を調整することをさらに含み、前記キャリアガス流は２〜１５リットル／分である、請求項１５に記載の方法。
【請求項１８】
前記電空レギュレータは、２バール〜１０バールの供給圧力を受ける、請求項１５に記載の方法。
【請求項１９】
前記スプレーデバイスは、
０バール〜８バールの処理圧力にさらされるか、および
粉末供給ホースを介して前記キャリア導管に結合されるか、
の少なくとも一方である、請求項１５に記載の方法。
【請求項２０】
前記信号は信号電圧を含み、前記差圧は０〜１バールである、請求項１５に記載の方法。
【発明の詳細な説明】
【技術分野】
【０００１】
関連出願の相互参照
本出願は、２０１７年５月３１日に出願された米国非仮特許出願第１５／６０９，９９１号の利益を主張するＰＣＴ国際出願であり、当該出願の開示はその全体が参照により本明細書に明示的に組み込まれる。
【０００２】
本発明は、特に、制御装置と通信し、差圧関連する信号を受信するように適合された差圧変換器（ＰＴまたはＤＰＴ）および電空レギュレータ（ＥＰまたはＥＰＲ）を利用する粉末供給速度制御システムおよび方法に関する。
【背景技術】
【０００３】
粉末供給速度制御システムが既知である。例えば、参照によりその開示全体が本明細書に組み込まれる、ＳＰＡＵＬＤＩＮＧに対する米国特許第４，９００，１９９号明細書、ＳＰＡＵＬＤＩＮＧに対する米国特許第４，５６１，８０８号明細書、ＦＬＡＭＥＮＴに対する米国特許第４，６６９，９２１号明細書、およびＧＩＡＮＥＬＬＡに対する米国特許第４，８６３，３１６号明細書は、ホッパ圧力にさらされるホッパ、および、粉末を、ホースを介して、処理圧力において動作するスプレーデバイスに搬送する、１つまたは複数の入口オリフィスを備えたキャリア導管を利用するものとして、そのようなシステムを記載している。
【０００４】
例えば、米国特許第４，９００，１９９号明細書のシステムは、差圧レギュレータ（ＤＰＲ）または計算リレーレギュレータ（ＣＲＲ）として機能するデバイス（ＵＳ‘１９９の図１のＲ２を参照）を利用する。
【０００５】
図１に示すような現行のシステムは、ＣＲＲを使用して、キャリア導管のオリフィスにわたる圧力降下を制御および維持する。ＣＲＲは差圧レギュレータとして機能するため、図１ではそのようにラベル付けされている。ただし、ＣＲＲは、ノブを使用して圧力を設定し、ホッパ圧力Ｐをホッパに出力する機械式または手動の調整デバイスである。ＣＲＲは、通常１０バールの供給圧力を受ける。ＣＲＲからホッパへの圧力Ｐ（ＣＲＲからの右下の売れた線）の出力（ホッパ圧力）は、キャリア導管の出力側（すなわち、スプレーデバイスによって使用されるキャリアホース圧力または処理圧力）に関連付けられた圧力Ａ（ホッパからＣＲＲへの入力）と、ＥＰレギュレータからＣＲＲへの直接入力である圧力Ｂ（図１のＣＲＲの左側中央への線として示されている）との加算に基づく。ＣＲＲには、ＣＲＲがゼロに調整、設定または較正される（通常、製造施設において行われる）ことを可能にする手動調節ネジもある。この工場設定の値はＫである。したがって、ホッパ圧力Ｐは式Ｐ＝Ａ＋Ｂ＋／−Ｋによって決定される。このようなシステムでは、処理圧力は通常０〜８バールであり、ホッパ圧力は通常、処理圧力よりも０〜１バール高い。例示的なの現行の９ＭＰ粉末供給システムの詳細は、ｈｔｔｐｓ：／／ｗｗｗ．ｏｅｒｌｉｋｏｎ．ｃｏｍ／ｍｅｔｃｏ／ｅｎ／ｐｒｏｄｕｃｔｓ−ｓｅｒｖｉｃｅｓ／ｃｏａｔｉｎｇ−ｅｑｕｉｐｍｅｎｔ／ｔｈｅｒｍａｌ−ｓｐｒａｙ／ｆｅｅｄｅｒｓ／ｆｅｅｄｅｒｓ−ｈｖｏｆ／ｈｖｏｆ−９ｍｐ／に見ることができ、その開示は、参照によりその全体が本明細書に明示的に組み込まれる。
【０００６】
現行のシステムの動作では、制御装置はコマンド電圧をＥＰレギュレータに送信し、ＥＰレギュレータは、圧力ＢをＣＲＲに出力する。ＣＲＲは圧力Ｂを入力として受け取り、上記の式に基づいて圧力Ｐを出力する。
【先行技術文献】
【特許文献】
【０００７】
【特許文献１】米国特許第４９００１９９号明細書
【特許文献２】米国特許第４５６１８０８号明細書
【特許文献３】米国特許第４６６９９２１号明細書
【特許文献４】米国特許第４８６３３１６号明細書
【発明の概要】
【０００８】
本発明の実施形態は、とりわけ、ＣＲＲを排除し、したがってより少ない構成要素を利用し、感度がより高く、より正確で、再較正を必要とする傾向がより少ない、単純化された制御スキームを提供する。
【０００９】
本発明の実施形態はまた、適切な量の粉末が粉末スプレーガンなどの噴霧デバイスに送達されるように、粉末供給速度を制御する能力も改善する。
【００１０】
本発明の実施形態はまた、ＥＰレギュレータと粉末供給装置との間に配置された機械式計算リレーレギュレータ（ＣＲＲ）を利用する信頼性の低い機械システムを、差圧変換器（ＰＴまたはＤＰＴ）とともにＥＰレギュレータを利用して粉末供給速度を制御する、より信頼性が高く、機械への依存が少ないシステムに置き換える。
【００１１】
本発明の実施形態は、ＥＰレギュレータ（およびその比例積分微分（ＰＩＤ）ループ）に直接結合される外部ＤＰ変換器を使用し、その構成要素、すなわちＤＰ変換器およびＥＰレギュレータは、処理背圧に関係なく処理差圧を精密に維持する。これは、機械的にガス圧力信号を加算する、ＣＲＲまたはＤＰＲを使用するよりも有利である。利点は、製品性能の向上およびコスト削減を含む。
【００１２】
本発明の実施形態は、処理圧力の変化に関係なく、制御システムからの一切の入力なしでリアルタイムに差圧を維持する能力も含む。
【００１３】
実施形態では、本発明は、粉末を収容し、ホッパ圧力を維持するように適合されたホッパを備える粉末供給速度制御システムである。キャリア導管は、キャリアガス流を送達し、オリフィスを有し、上記キャリアガス流は、粉末供給速度においてオリフィスを通って入る粉末を搬送する。差圧変換器は、ホッパ圧力に関連する第１の圧力入力または高圧／高い方の圧力入力と、ホッパの下流のキャリアガス流に関連する第２の圧力入力または低圧／低い方の圧力入力とを含む。差圧変換器（ＤＰＴ）は、第１の圧力入力と第２の圧力入力の間の差圧に関連する信号を出力する。電空レギュレータは、制御装置と通信し、差圧に関連する信号を受信するように適合されている。
【００１４】
実施形態では、制御装置はキャリアガス流を調整する。
【００１５】
実施形態では、制御装置は、キャリアガス流量を決定または設定する。
【００１６】
実施形態では、差圧は０〜１バールである。
【００１７】
実施形態では、電空レギュレータは、２バール〜１０バールの供給圧力を受ける。
【００１８】
実施形態では、システムは、キャリア導管に結合され、処理圧力において動作するスプレーデバイスをさらに備える。
【００１９】
実施形態において、処理圧力は０バール〜８バールである。
【００２０】
実施形態において、スプレーデバイスは、粉末供給ホースを介してキャリア導管に結合される。
【００２１】
実施形態では、信号は信号電圧を含む。
【００２２】
実施形態では、電空レギュレータは、制御装置からコマンド信号を受信する。
【００２３】
実施形態では、制御装置は、電空レギュレータから信号を受信する。
【００２４】
実施形態では、差圧は０〜１バールである。
【００２５】
実施形態では、システムは、処理圧力の変化に関係なく、制御装置からの一切の入力なしでリアルタイムで差圧を維持するように構成される。
【００２６】
実施形態において、本発明は、粉末供給速度制御システムであって、制御装置と、粉末を収容し、ホッパ圧力を維持するように適合されたホッパと、キャリアガス流を送達し、オリフィスを有するキャリア導管であり、上記キャリアガス流は粉末供給速度においてオリフィスを通って入る粉末を搬送する、キャリア導管と、ホッパ圧力ラインに結合された第１の圧力入力および処理圧力ラインに結合された第２の圧力入力を備える差圧変換器とを備える、粉末供給速度制御システムである。差圧変換器は、ホッパ圧力と処理圧力との差圧に関連する信号を出力する。電空レギュレータは、制御装置からコマンド電圧信号を受信し、差圧に関連する信号を受信する。差圧は粉末供給速度に比例し、０〜１バールの圧力に維持される。
【００２７】
実施形態において、本発明は、粉末供給速度を調整する方法であって、方法は、粉末を収容するホッパをホッパ圧力にさらすことと、オリフィスを有するキャリア導管を介してキャリアガス流を送達することであり、上記キャリアガス流は、粉末供給速度においてオリフィスを通って入る粉末を搬送する、送達することと、処理圧力において粉末をスプレーデバイスに供給することと、差圧変換器を介して、ホッパ圧力と処理圧力との間の差圧を測定することと、電空レギュレータに、差圧に関連する信号を出力することとを含む、方法である。
【００２８】
実施形態では、電空レギュレータは制御装置と通信し、差圧に関連する信号を受信する。
【００２９】
実施形態では、この方法は、制御装置によってキャリアガス流を調整することをさらに含み、キャリアガス流は２〜１５ｌ／ｍ（リットル／分）である。
【００３０】
実施形態では、電空レギュレータは、２バール〜１０バールの供給圧力を受ける。
【００３１】
実施形態において、スプレーデバイスは、０バール〜８バールの処理圧力にさらされるか、および、粉末供給ホースを介してキャリア導管に結合されるかの少なくとも一方である。
【００３２】
実施形態において、信号は信号電圧を含み、差圧は０〜１バールである。
【００３３】
本発明は、本発明の例示的な実施形態の非限定的な例として言及されている複数の図面を参照して、以下の詳細な説明でさらに説明される。図面において、同様の参照符号は、図面のいくつかのビュー全体を通じて同様の部分を表す。
【図面の簡単な説明】
【００３４】
【図１】先行技術による粉末供給制御システムの空気圧回路を示す概略図である。
【図２】本発明による粉末供給制御システムの空気圧回路を示す概略図である。
【図３】本発明による電空レギュラーを示す、図２の回路の部分拡大図である。
【図４】本発明による差圧変換器を示す、図２の回路の部分拡大図である。
【図５】ホッパ内のガス流の概略図である。
【発明を実施するための形態】
【００３５】
以下の説明において、本開示の様々な実施形態が、添付の図面に関連して説明される。必要に応じて、本開示の実施形態の詳細な実施形態が本明細書で議論されるが、開示されている実施形態は、様々な代替の形態で具現化され得る本開示の実施形態の単なる例示であることを理解されたい。図は必ずしも縮尺通りではなく、一部の特徴は特定の構成要素の詳細を示すために誇張または最小化されている場合がある。したがって、本明細書において開示される特定の構造的および機能的詳細は、限定として解釈されるべきではなく、単に本開示を様々に利用することを当業者に教示するための代表的な基礎として解釈されるべきである。
【００３６】
本明細書において示されている詳細は単なる例示であり、本開示の実施形態の例示的な説明のみを目的とし、本開示の原理および概念的態様の最も有用で容易に理解される説明であると考えられるものを提供するために提示される。この点に関して、本開示の基本的な理解のために必要とされるよりも詳細に本開示の構造的詳細を示すことは試みられておらず、結果、図面とともに取り上げられる説明は、本開示のいくつかの形態を実際に具現化することができる方法を、当業者に明らかにする。
【００３７】
本明細書で使用される場合、単数形「１つの（ａ、ａｎ）」および「この（ｔｈｅ）」は、文脈がそうでないことを明確に示さない限り、複数形への言及も含むことが意図される。例えば、「１つのスプレーデバイス（ａ  ｓｐｒａｙ  ｄｅｖｉｃｅ）」への言及は、具体的に除外されない限り、複数または複数のスプレーデバイスの使用を除外するものではない。例えば、本明細書で使用される場合、不定冠詞「ａ」は、１つおよび２つ以上を示し、必ずしもその指示名詞を単数形に限定するものではない。
【００３８】
別途明記しない限り、本明細書および特許請求の範囲において使用されている量を表すすべての数字は、すべての場合において「約」という用語によって修飾されるものとして理解されたい。例えば、１〜５の範囲は、約１〜約５の範囲を包含するか、またはそれに等しいことを意図している。したがって、特に明記しない限り、本明細書および特許請求の範囲内に記載されている数値パラメータは、本開示の実施形態によって得ようとする所望の特性に応じて変化してもよい近似である。少なくとも、また特許請求項の範囲への均等物の原則の適用を制限しようとするものとして考えられるべきではない、各数値パラメータは、有効桁の数に照らして、また通常の丸めの慣習を適用することによって解釈されるべきである。
【００３９】
本明細書で使用される場合、「約」および「およそ」という用語は、問題の量または値が、指定された特定の値またはその近傍の何らかの他の値であり得ることを示す。一般に、特定の値を示す「約」および「およそ」という用語は、値の±５％以内の範囲を示すことを意図している。一例として、句「約１００」は、１００±５の範囲、すなわち９５〜１０５の範囲を示す。一般に、「約」および「およそ」という用語が使用されるとき、本開示による同様の結果または効果が、示された値の±５％の範囲内で得られ得ることが期待され得る。
【００４０】
さらに、本明細書内の数値範囲の列挙は、その範囲内のすべての数値および範囲の開示であると考えられる（特に別途明記しない限り）。例えば、範囲が約１〜約５０である場合、これは、例えば１、７、３４、４６．１、２３．７、またはその範囲内の任意の他の値または範囲を含むと考えられる。
【００４１】
本明細書で使用される場合、用語「および／または」は、上記グループの要素のすべてまたは１つのみが存在し得ることを示す。例えば、「Ａおよび／またはＢ」は、「Ａのみ、またはＢのみ、またはＡとＢの両方」を意味するものとする。「Ａのみ」の場合、この用語はまた、Ｂが存在しないという可能性、すなわち「Ａのみが存在し、Ｂは存在しない」ことを包含する。
【００４２】
「実質的に平行」などの用語は、平行な整列から２０°未満の逸脱を指し得、「実質的に垂直」という用語は、垂直な整列から２０°未満の逸脱を指す。「平行」という用語は、数学的に正確な平行整列から５°未満の逸脱を指す。同様に、「垂直」は、数学的に正確な垂直整列から５°未満の逸脱を指す。
【００４３】
「少なくとも部分的に」という用語は、後続する特性がある程度または完全に満たされることを示すことを意図している。
【００４４】
「実質的に」および「本質的に」という用語は、後続する特徴、特性、またはパラメータが、完全に（全体的に）、または意図した結果に悪影響を及ぼさない程度まで実現されまたは満たされることを示すために使用される。
【００４５】
本明細書で使用される「含む（ｃｏｍｐｒｉｓｉｎｇ）」という用語は、非排他的で無制限であることを意図している。したがって、例えば、化合物Ａを含む組成物は、Ａ以外の他の化合物を含んでもよい。しかし、「含む」という用語は、「本質的に〜から成る（ｃｏｎｓｉｓｔｉｎｇ  ｅｓｓｅｎｔｉａｌｌｙ  ｏｆ）」および「〜から成る」という、より限定的な意味もカバーし、結果、例えば「化合物Ａを含む組成物」はまた、（本質的に）化合物Ａから成る場合もある。
【００４６】
本明細書に開示されている様々な実施形態は、特に反対のことが述べられていない限り、別個に、かつ様々な組み合わせにおいて使用することができる。
【００４７】
図２を参照すると、本発明の粉末供給制御システム１０が図１のＣＲＲを排除し、代わりに電空（ＥＰ）レギュレータ４０および差圧変換器（ＤＰＴまたはＰＴ）５０を利用する方法が分かる。したがって、ＤＰＴ５０はＥＰ４０に直接結合される。ＥＰ  ４０は、電気的に制御される圧力レギュレータである。ＤＰＴ５０は、２つの入力ポートＰ３とＰ４との間のガス圧の差に比例した電気信号を出力する。このシステムは、処理圧力の変化に関係なく、制御装置からの一切の入力なしでリアルタイムに差圧を維持することによって、粉末供給速度のより良好な調整を可能にする。これにより、最適な粉末供給装置性能のために不可欠な、粉末供給装置計量デバイスにわたる正確な差圧制御がもたらされる。その目的は、大幅に変化する可能性のある下流システムの処理圧力の変動に関係なく、一定の差圧を維持することである。回路は、０〜８バールの処理動作範囲内で２．５ｍバール未満に差圧を解決および維持することができなければならない。
【００４８】
図２のシステムは、制御装置またはプロセス制御装置７０を利用する。プロセス制御装置７０の主な機能は、（ホッパ圧力モードにおいて）処理圧力を調整すること、および粉末流の重量の損失を調整すること（重量測定）である。プロセス制御装置７０は、通信ＣＩで示されるように信号を供給することによりＥＰレギュレータ４０と通信する。通信ＣＩは、制御装置７０との双方向である。
【００４９】
ＥＰ供給レギュレータ８０は、ＥＰレギュレータ４０に空気圧的に接続されている。質量流量コントローラ（ＭＦＣ）９０が、キャリアガスの流量を調整し、下流の変動に関係なく精密なキャリアガスの流量を維持するために利用される。ＥＰ供給レギュレータ８０は、１０〜１２バールにおいてガスを受け取るガス圧力レギュレータであり、２バールの出力を有するように工場設定されている。ＥＰ供給レギュレータ８０上のパイロットポートは、処理圧力を通信する。レギュレータ出力は、工場設定とパイロット圧力との合計である。このデバイスは、処理圧力に関係なく、電空レギュレータすなわちＥＰレギュレータ４０に２バールの供給を提供する役割を果たす。
【００５０】
図２にも示されているように、キャリアソレノイドがＥＰ供給レギュレータ８０の上流に配置されている。キャリアソレノイドは、粉末供給装置が使用されていないときにガス供給を遮断するために使用される、常閉２方向ソレノイドバルブである。キャリアソレノイドに供給されるガス圧は、通常１０〜１２バールの不活性ガス、通常は窒素またはアルゴンガスである。このソレノイドバルブは、粉末供給装置に電気が供給されているときは開いたままであり、他の構成要素にガスを供給する。
【００５１】
同じく図２に示されるように、メインエアーソレノイドが、バイブレータ圧力レギュレータの上流に配置される。メインエアーソレノイドは、粉末供給装置が使用されていないときにエアー（空気）供給を遮断するために使用される、常閉２方向ソレノイドバルブである。メインエアーソレノイドに供給される空気圧は、通常５〜７バールである。この２方向バルブは、粉末供給装置に電気が供給されているときは開いたままであり、バイブレータ圧力レギュレータにガスを供給する。
【００５２】
図２および図３に示すように、ＥＰレギュレータ４０は、通信入力ＣＩ、ならびにキャリア圧力レギュレータへの空気圧接続Ｐ１、およびまたホッパ２０への空気圧接続Ｐ２を利用する。次いで、ＥＰレギュレータ４０は、リンクＣＴを介してＤＰＴ５０と電気的に通信する。この通信ＣＴは、図２に示すように一方向である。
【００５３】
図２に戻って参照すると、Ｐ１の上流の圧力レギュレータは、スプレーデバイスの背圧に関係なくＥＰレギュレータ４０にわたって２バール（約３０ｐｓｉ）の一定圧力を維持する役割を果たすことができ、すべての背圧を通じてＥＰレギュレータ４０の最適化に役立つことに留意されたい。さらに、ＭＦＣ供給レギュレータ９５が、スプレーガンの背圧に関係なく、ＭＦＣ  ９０にわたって一定の２バール（約３０ｐｓｉ）を維持する役割を果たすことができ、すべての背圧を通じてＭＦＣ  ９０の性能を最適化するのに役立つ。
【００５４】
ＭＦＣ供給レギュレータ９５は、通常１０〜１２バールにおいてガスを受け取るガス圧力レギュレータであり、２バールの出力を有するように工場設定されている。レギュレータ９５上のパイロットポートは、処理圧力を伝達する。レギュレータ出力は、工場設定とパイロット圧力との合計である。このデバイスは、処理圧力に関係なく、キャリアガス質量流量コントローラ（ＭＦＣ）９０に２バールの供給を提供する。キャリアガス質量流量コントローラ（ＭＦＣ）９０は、粉末Ｐをホッパ２０からスプレーデバイス６０に搬送するのに役立つ電気制御式ガス流量計である。この流量は通常一定値であり、一定値は通常毎分５〜１５リットルに選択または設定される。
【００５５】
図２はまた、粉末供給ソレノイドが、キャリアソレノイドおよびＥＰ供給レギュレータ８０を接続するラインに、および、粉末バルブにも結合されていることを示している。このソレノイドは、粉末バルブの開閉に使用される常閉３方向ソレノイドバルブである。バイブレータ圧力レギュレータが、メインエアーソレノイドに結合されており、これは、ホッパ２０のエアーバイブレータに空気圧を供給するために使用される電気制御式圧力レギュレータである。エアーバイブレータとバイブレータ圧力レギュレータの両方が、流れにくい粉末を流すのを助けるために使用される。
【００５６】
図２および図４に示すように、ＰＴ５０は、通信リンクＣＴ、ならびに、ホッパ圧力からの入力であるホッパ２０への第１の圧力または高圧の空気圧接続Ｐ３、および、処理圧力からの入力であるキャリア導管３０の下流部分への第２の圧力または低圧の空気圧接続Ｐ４を利用する。次いで、ＰＴ５０は、入力Ｐ３とＰ４との間の差圧の変化に基づいてリンクＣＴを介してＥＰレギュレータ４０と電気的に通信する。
【００５７】
動作中、ホッパ２０は粉末材料で満たされ、次いでホッパ圧力によってシールおよび加圧され、噴霧中、粉末は図５に示されるようにオリフィス３３に入る。スプレーデバイス６０による粉末の噴霧中、ＥＰレギュレータ４０はＣＩを介して制御装置７０からコマンド電圧を受け取る。Ｐ１を介してＥＰレギュレータ４０に供給される圧力は、２〜１０バールの範囲であり得、常に処理圧力よりも２バール高い。ＥＰレギュレータ４０は、ゼロ処理圧力において２バールに工場設定され得る。処理圧力は、０〜約８バールの範囲である。ただし、ラインＰ２のホッパ圧力とラインＰ４の処理圧力との間に圧力差が生じる。ＰＴ５０は、０〜１バールの範囲にわたって作動し、差圧を検出し、リンクＣＴを介して、ラインＰ２の圧力を変更または調節するＥＰレギュレータ４０と通信する。これはリアルタイムで継続的に行われ、結果、処理圧力の変化に関係なく、制御装置からの一切の入力なしでリアルタイムで差圧が維持される。
【００５８】
ＥＰ４０とＰＴまたはＤＰＴ５０が協働して差圧を調整する例示的な方法は以下の通りである。オペレータが制御装置７０に０〜１バール、例えば０．５バール（この例において）の所望の差圧を入力すると、これは電圧信号としてＥＰ４０に通信される。次に、ＥＰ４０は、ラインＰ２の圧力を直接調整して、所望の差圧を維持しようとする。ただし、そのためには、ＤＰＴ  ５０によって測定された実際の差圧をＥＰ  ４０に通知する必要がある。Ｐ２の圧力はＰ３の圧力と同じであるが、ラインＰ４の圧力はスプレーデバイス６０の動作中に変化する可能性がある（ラインＰ４の圧力はスプレーデバイスの処理背圧によってのみ統制される）。ＤＰＴ  ５０によって決定される実際の差圧は、Ｐ３の圧力からＰ４の圧力を減算することによって計算される。ＤＰＴ５０は、実際に測定された差圧に関連する電圧信号をＥＰ４０に出力する。例えば、Ｐ３の圧力が０．９バールであり、Ｐ４の圧力が０．４バールの場合、ＥＰ  ４０はＤＰＴ  ５０から０．５バールの差圧を示す信号を受信する。これは制御装置７０への所望の差圧入力に対応するため、ＥＰはラインＰ２の圧力の変化を一切引き起こさない。しかし、Ｐ４の圧力が０．３バールに降下し、結果、差圧が例えば０．６バールに増加する場合、ＤＰＴ  ５０はそれを示す信号をＥＰ  ４０に出力する。次いで、ＥＰ  ４０は、０．５バールの所望の差圧を維持するために、Ｐ２の圧力を変化させる。これは、Ｐ２の差圧を、差圧を０．５バールに維持する０．８バール（０．８バール−０．３バール＝０．５バール）に下げる内部バルブを調整する（部分的に閉じる）ことによって行われる。一方、Ｐ４の圧力が０．５バールに増大し、結果、差圧が例えば０．４バールに低減する場合、ＤＰＴ  ５０はそれを示す信号をＥＰ  ４０に出力する。次いで、ＥＰ  ４０は、０．５バールの所望の差圧を維持するために、Ｐ２の圧力を変化させる。これは、ラインＰ２の差圧を、差圧を０．５バールに維持する１バール（１バール−０．５バール＝０．５バール）に増大させる内部バルブを調整する（部分的に開く）ことによって行われる。
【００５９】
ホッパ２０は、従来技術のものと類似または同じである。通常、ホッパはガスによってシールされ、加圧される。ガスの唯一の出口は、吸気オリフィス３３を介したキャリア導管またはピックアップシャフトを通じたものである（図５を参照）。ガス流はオリフィス３３において収束し、速度が増加する。このようにして、ホッパ２０内の粉末粒子は浮遊状態になり、ピックアップシャフトまたはキャリア導管３０に搬送される。
【００６０】
差圧変換器ＰＴ  ５０の非限定的な例は、製品情報がｈｔｔｐ：／／ｗｗｗ．ｎｘｐ．ｃｏｍ／ａｓｓｅｔｓ／ｄｏｃｕｍｅｎｔｓ／ｄａｔａ／ｅｎ／ｄａｔａ−ｓｈｅｅｔｓ／ＭＰＸ５１００．ｐｄｆとしてインターネットで入手可能な、Ｆｒｅｅｓｃａｌｅ  Ｓｅｍｉｃｏｎｄｕｃｔｏｒ，Ｉｎｃ．のモデルＭＰＸ５１００ＤＰを含む。このハイパーリンク文書／ウェブページの開示全体は、参照によりその全体が本明細書に明示的に組み込まれる。
【００６１】
従来、差圧変換器は、２つの圧力源間の差圧を測定するために使用されている。この差圧は通常、ある圧力源の圧力から別の圧力源の圧力を減算したものとして定義される。各圧力源の圧力は、ライン圧力と呼ばれることもある。いくつかの従来の差圧変換器は、各々がフォースコレクタとして機能する２つの別個のピストンの間に配置された検知要素を含む。各ピストンは、変換器がさらされる２つのボリュームのうちの１つにおける圧力に応じて独立して変位する。検知要素は、変位の差を電気信号に変換することにより、２つのピストンの組み合わされた変位を示す電気出力を提供する。したがって、この電気出力は、２つのボリューム間の差圧を示している。２つの対向するピストン間に実際の検出要素を配置する必要があるため、これらの変換器の構造は複雑であり、結果としてできる変換器は高価である。
【００６２】
圧力変換器は通常、変換器が差圧を示す電気出力を提供する動作範囲を有する。差圧が動作範囲の限界に近づくと、動作範囲の限界を超えて差圧がさらに増加しても、変換器の電気出力にそれ以上の変化は生じない。したがって、例えば、高い差圧に応答した要素の過剰な動きの結果としての変換器内の検知要素および他の要素への損傷を防ぐために、機械的保護が従来から提供されている。過負荷保護と呼ばれるこの保護は、２つのフォースコレクタの各々に提供され、通常は複雑で費用がかかる。
【００６３】
差圧変換器は好ましくは、差圧がゼロのときにゼロ出力を提供するべきである。この状態は、ラインバランスの維持と呼ばれる。従来、ラインバランスは、精密な部品を使用して変換器を調節することで達成されているが、これには費用および時間がかかる。
【００６４】
電空レギュレータＥＰ  ４０の非限定的な例は、比例空気モデルＰＡ１００１Ｓ１などを含み、これらの情報は製造者から入手可能である。入手可能な製品情報の開示全体は、参照によりその全体が本明細書に明示的に組み込まれる。電空レギュレータＥＰ  ４０は最大１０バールのガスを供給することができ、粉末供給装置制御コンピュータまたは制御装置７０からの電圧コマンドを介して０〜１バールの圧力を出力することができる。コマンド電圧はコンピュータによって決定されるが、ＥＰ  ４０は外部に取り付けられた差圧変換器ＰＴ  ５０に基づいて圧力ループを閉じる。したがって、ＥＰ  ４０圧力出力は、処理背圧の変動に適応することができる。本質的に、ＥＰ  ４０の圧力出力は、大気圧ではなく処理背圧に関連している。これは、センスラインを介して従来のＥＰレギュレータからの圧力を処理圧力に加え、また、事前設定されたゼロバイアスも加えて同じ機能を実行する計算リレーレギュレータＣＲＲを使用する現行の手法よりも優れている。
【００６５】
さらに、少なくとも本発明は、例えば単純にまたは効率的にするために、特定の例示的な実施形態の開示により、本発明を作成および使用することを可能にするように、本明細書に開示されているため、本発明は、本明細書で具体的に開示されていない任意の追加要素または追加構造の不在下で実施することができる。
【００６６】
前述の例は、単に説明の目的で提供されたものであり、決して本発明を限定するものとして解釈されるものではないことに留意されたい。例示的な実施形態を参照して本発明を説明したが、本明細書で使用された文言は、限定の文言ではなく、説明および例示の文言であることが理解される。添付の特許請求項の範囲内で、現在述べられており、修正されているように、その態様における本発明の範囲および精神から逸脱することなく、変更を行うことができる。本発明は、特定の手段、材料、および実施形態を参照して本明細書に記載されたが、本発明は、本明細書に開示された詳細に限定されることを意図しない。むしろ、本発明は、添付の特許請求項の範囲内にあるような、機能的に等価なすべての構造、方法、および用途にまで及ぶ。
【符号の説明】
【００６７】
１０  粉末供給速度制御システム
２０  ホッパ
２１  ホッパ圧力ライン
３０  キャリア導管
３１  処理圧力側
３２  キャリアガス流側
３３  吸気オリフィス
４０  電空レギュレータ（ＥＰ）
Ｐ１  圧力レギュレータからの入力
Ｐ２  ホッパ圧力からの入力
ＣＴ  通信リンク
５０  差圧変換器（ＰＴ）
Ｐ３  ホッパ圧力からの入力
Ｐ４  処理圧力からの入力
６０  スプレーデバイス
７０  制御装置
８０  ＥＰ供給レギュレータ
９０  質量流量制御装置（ＭＦＣ）
９５  ＭＦＣ供給レギュレータ
Ｐ  粉末
【図１】
2020522048.tif 000003
【図２】
2020522048.tif 000004
【図３】
2020522048.tif 000005
【図４】
2020522048.tif 000006
【図５】
2020522048.tif 000007
【国際調査報告】
2020522048.tif 000008
2020522048.tif 000009
2020522048.tif 000010